(57)【要約】【課題】電子機器側の受電コイルの充電器側の送電コイルに対する最適位置からのずれを修正するための情報を電子機器のユーザに適切に報知することができる電子機器及び充電システムを提供する。【解決手段】携帯電話１１は、主点１９を中心に導線が巻かれた二次側コイル１３と、第１、第２、及び第３の点の夫々の第１、第２、及び第３の磁束密度を検出する位置検出コイル１４〜１６と、報知部１７とを備え、報知部１７は、主点１９を基準にした第１の点を第１の単位ベクトル、主点１９を基準にした第２の点を第２の単位ベクトル、主点１９を基準にした第３の点を第３の単位ベクトルとし、（第１の磁束密度）×（第１の単位ベクトル）＋（第２の磁束密度）×（第２の単位ベクトル）＋（第３の磁束密度）×（第３の単位ベクトル）で求めたベクトルの向きと大きさに基づいて移動すべき向きと長さの報知を行う。【選択図】図７
2010206865.tif 000002
【特許請求の範囲】
【請求項１】
非接触方式で充電する充電器によって充電可能な二次電池を電源として用いる電子機器であって、
主点を中心に導線が巻かれ、前記二次電池を充電する電力を前記充電器から受電する受電コイルと、
当該電子機器内の第１及び第２の点のそれぞれの第１及び第２の磁束密度を検出する第１及び第２の磁気検出部と、
報知部と、を備え、
当該報知部は、
前記主点を基準にした第１の点を第１の単位ベクトルとし、前記主点を基準にした第２の点を第２の単位ベクトルとし、
（第１の磁束密度）×（第１の単位ベクトル）＋（第２の磁束密度）×（第２の単位ベクトル）で求めたベクトルの向きに移動するように促す報知を行う
電子機器。
【請求項２】
非接触方式で充電する充電器によって充電可能な二次電池を電源として用いる電子機器であって、
主点を中心に導線が巻かれ、前記二次電池を充電する電力を前記充電器から受電する受電コイルと、
当該電子機器内の第１及び第２の点のそれぞれの第１及び第２の磁束密度を検出する第１及び第２の磁気検出部と、
報知部と、を備え、
当該報知部は、
前記主点を基準にした第１の点を第１の単位ベクトルとし、前記主点を基準にした第２の点を第２の単位ベクトルとし、
（第１の磁束密度）×（第１の単位ベクトル）＋（第２の磁束密度）×（第２の単位ベクトル）で求めたベクトルの大きさに基づいて移動すべき長さの報知を行う
電子機器。
【請求項３】
非接触方式で充電する充電器によって充電可能な二次電池を電源として用いる電子機器であって、
主点を中心に導線が巻かれ、前記二次電池を充電する電力を前記充電器から受電する受電コイルと、
当該電子機器内の第１及び第２の点のそれぞれの第１及び第２の磁束密度を検出する第１及び第２の磁気検出部と、
報知部と、を備え、
当該報知部は、
前記主点を基準にした第１の点を第１の単位ベクトルとし、前記主点を基準にした第２の点を第２の単位ベクトルとし、
（第１の磁束密度）×（第１の単位ベクトル）＋（第２の磁束密度）×（第２の単位ベクトル）で求めたベクトルの向きと大きさに基づいて移動すべき向きと長さの報知を行う
電子機器。
【請求項４】
非接触方式で充電する充電器によって充電可能な二次電池を電源として用いる電子機器であって、
主点を中心に導線が巻かれ、前記二次電池を充電する電力を前記充電器から受電する受電コイルと、
当該電子機器内の第１、第２、及び第３の点のそれぞれの第１、第２、及び第３の磁束密度を検出する第１、第２、及び第３の磁気検出部と、
報知部と、を備え、
当該報知部は、
前記主点を基準にした第１の点を第１の単位ベクトルとし、前記主点を基準にした第２の点を第２の単位ベクトルとし、前記主点を基準にした第３の点を第３の単位ベクトルとし、
（第１の磁束密度）×（第１の単位ベクトル）＋（第２の磁束密度）×（第２の単位ベクトル）＋（第３の磁束密度）×（第３の単位ベクトル）で求めたベクトルの向きと大きさに基づいて移動すべき向きと長さの報知を行う
電子機器。
【請求項５】
前記受電コイルは所定の平面に略平行であり、前記第１、第２、及び第３の点を頂点とする三角形が前記所定の平面に略平行である請求項４に記載の電子機器。
【請求項６】
前記主点が前記三角形の中にある請求項５に記載の電子機器。
【請求項７】
前記第１及び第２の点は、充電器の送電コイルの外側に配置された請求項１乃至請求項６のいずれかに記載の電子機器。
【請求項８】
前記第１、第２、及び第３の点を頂点とする正三角形である請求項５又は請求項６に記載の電子機器。
【請求項９】
請求項１乃至請求項８のいずれかに記載の電子機器と充電器を有する充電システム。
【発明の詳細な説明】
【技術分野】
【０００１】
本発明は、携帯端末装置や携帯電話などの非接触方式で充電する充電器によって充電可能な二次電池を電源として用いる電子機器及び該電子機器を有する充電システムに関する。
【背景技術】
【０００２】
非接触方式で充電する充電器として、例えば特許文献１で開示された電磁誘導式充電器は、電磁誘導コイルを有する電子機器に外部より交流磁界を作用することにより充電する充電器において、商用電源に接続され、安定化電源回路と充電のための交流信号を出力するための駆動回路を有する充電器部と、前記充電器部と別体に構成されるとともに、前記駆動回路と結線され、前記交流信号を受けて充電のための交流磁界を発生するための一次コイルを有する一次コイル部と、前記一次コイル部に設けられ、前記電子機器の誘導コイルの位置に対応した前記一次コイルの位置と磁気指向性を表示するためのマーク部とからなる。
【０００３】
また、同様の非接触方式を採用したものとして、特許文献２で開示された無接点電力供給装置は、供給器側に設けられている誘導コイルと、機器本体部側に設けられている受動コイルを近接配置することによって、前記機器本体部側に電磁誘導によって電力が供給されるような無接点電力供給装置において、前記供給器の上面には、前記誘導コイルに直列に接続されたリードスイッチを内部に設けている凸部、及び前記誘導コイルの配置位置に対応する範囲に亘って形成された複数の係合凸部がそれぞれ形成され、前記機器本体部の下面には、前記供給器の前記凸部と対応する位置の頂点部に前記リードスイッチを動作させるためのマグネットを設けた凹部、及び前記受動コイルの配置位置に対応する範囲に亘って形成された複数の係合凹部がそれぞれ形成されている。
【０００４】
さらに、特許文献３で開示された調理器は、磁気発生部と、該磁気発生部における載置台に載置される二次コイルを具備する負荷部と、該負荷部の載置位置を定める位置決め手段と、前記負荷部における負荷の種別を前記二次コイルへの高周波電流の伝達前に前記磁気発生部に報知する負荷種別報知手段とを有し、前記磁気発生部は、前記載置台の下に配置された一次コイル、該一次コイルに高周波電流を流す発振手段及び前記負荷種別報知手段からの報知内容を基に前記発振手段の発振出力を制御する制御手段を備え、前記負荷部は、前記一次コイルと電磁結合して前記二次コイルに伝達された高周波電流に基づく電力を前記負荷に供給する。
【０００５】
【特許文献１】実開平１−０１８６４５号公報
【特許文献２】特開平７−０７５２５７号公報
【特許文献３】特開平９−２３８８５１号公報
【発明の開示】
【発明が解決しようとする課題】
【０００６】
しかしながら、上述した従来の充電器及びそれに類似する装置並びに機器においては以下に示す問題がある。すなわち、特許文献１で開示された電磁誘導式充電器では、コイル位置が最適位置からずれた所に置かれた場合、十分な電力伝送ができずに充電電流が少なくなり充電時間が長くなる。特許文献２で開示された無接点電力供給装置では、コイルのずれがどちらの方向か判らないため、電力を効率良く供給できないことがあり、常に最良の条件で給電を行うことができるとは限らない。特許文献３で開示された調理器では、二次コイルが一次コイルに対して最適位置にあった場合でも、そこが最適位置であることが判らず、常に最良の条件で給電を行うことができるとは限らない。
【０００７】
本発明は、係る事情に鑑みてなされたものであり、電子機器側の受電コイル（二次コイル）の充電器側の送電コイル（一次コイル）に対する最適位置からのずれを修正するための情報を電子機器のユーザに適切に報知することができる電子機器及び充電システムを提供することを目的とする。
【課題を解決するための手段】
【０００８】
本発明の電子機器は、非接触方式で充電する充電器によって充電可能な二次電池を電源として用いる電子機器であって、主点を中心に導線が巻かれ、前記二次電池を充電する電力を前記充電器から受電する受電コイルと、当該電子機器内の第１及び第２の点のそれぞれの第１及び第２の磁束密度を検出する第１及び第２の磁気検出部と、報知部と、を備え、当該報知部は、前記主点を基準にした第１の点を第１の単位ベクトルとし、前記主点を基準にした第２の点を第２の単位ベクトルとし、（第１の磁束密度）×（第１の単位ベクトル）＋（第２の磁束密度）×（第２の単位ベクトル）で求めたベクトルの向きに移動するように促す報知を行う。
【０００９】
上記構成によれば、２つの磁気検出部で検出した磁束密度を用いたベクトル計算によって、受電コイルの最適位置からのずれを修正するための移動すべき方向を適切に報知することができ、常に効率の良い充電が可能となる。
【００１０】
本発明の電子機器は、非接触方式で充電する充電器によって充電可能な二次電池を電源として用いる電子機器であって、主点を中心に導線が巻かれ、前記二次電池を充電する電力を前記充電器から受電する受電コイルと、当該電子機器内の第１及び第２の点のそれぞれの第１及び第２の磁束密度を検出する第１及び第２の磁気検出部と、報知部と、を備え、当該報知部は、前記主点を基準にした第１の点を第１の単位ベクトルとし、前記主点を基準にした第２の点を第２の単位ベクトルとし、（第１の磁束密度）×（第１の単位ベクトル）＋（第２の磁束密度）×（第２の単位ベクトル）で求めたベクトルの大きさに基づいて移動すべき長さの報知を行う。
【００１１】
上記構成によれば、２つの磁気検出部で検出した磁束密度を用いたベクトル計算によって、受電コイルの最適位置からのずれを修正するための移動すべき長さを適切に報知することができ、常に効率の良い充電が可能となる。
【００１２】
本発明の電子機器は、非接触方式で充電する充電器によって充電可能な二次電池を電源として用いる電子機器であって、主点を中心に導線が巻かれ、前記二次電池を充電する電力を前記充電器から受電する受電コイルと、当該電子機器内の第１及び第２の点のそれぞれの第１及び第２の磁束密度を検出する第１及び第２の磁気検出部と、報知部と、を備え、当該報知部は、前記主点を基準にした第１の点を第１の単位ベクトルとし、前記主点を基準にした第２の点を第２の単位ベクトルとし、（第１の磁束密度）×（第１の単位ベクトル）＋（第２の磁束密度）×（第２の単位ベクトル）で求めたベクトルの向きと大きさに基づいて移動すべき向きと長さの報知を行う。
【００１３】
上記構成によれば、２つの磁気検出部で検出した磁束密度を用いたベクトル計算によって、受電コイルの最適位置からのずれを修正するための移動すべき向きと長さを適切に報知することができ、常に効率の良い充電が可能となる。
【００１４】
本発明の電子機器は、非接触方式で充電する充電器によって充電可能な二次電池を電源として用いる電子機器であって、主点を中心に導線が巻かれ、前記二次電池を充電する電力を前記充電器から受電する受電コイルと、当該電子機器内の第１、第２、及び第３の点のそれぞれの第１、第２、及び第３の磁束密度を検出する第１、第２、及び第３の磁気検出部と、報知部と、を備え、当該報知部は、前記主点を基準にした第１の点を第１の単位ベクトルとし、前記主点を基準にした第２の点を第２の単位ベクトルとし、前記主点を基準にした第３の点を第３の単位ベクトルとし、（第１の磁束密度）×（第１の単位ベクトル）＋（第２の磁束密度）×（第２の単位ベクトル）＋（第３の磁束密度）×（第３の単位ベクトル）で求めたベクトルの向きと大きさに基づいて移動すべき向きと長さの報知を行う。
【００１５】
上記構成によれば、３つの磁気検出部で検出した磁束密度を用いたベクトル計算によって、受電コイルの最適位置からのずれを修正するための移動すべき向きと長さを適切に報知することができ、常に効率の良い充電が可能となる。
【００１６】
上記構成において、前記受電コイルは所定の平面に略平行であり、前記第１、第２、及び第３の点を頂点とする三角形が前記所定の平面に略平行である。
【００１７】
この構成によれば、単位ベクトルが所定平面に垂直な成分を有しないので、２次元ベクトルの計算で済む。
【００１８】
また、上記構成において、前記主点が前記三角形の中にある。
【００１９】
この構成によれば、３つの単位ベクトルで２次元全てのベクトルを表現することができる。
【００２０】
また、上記構成において、前記第１及び第２の点は、充電器の送電コイルの外側に配置された。
【００２１】
この構成によれば、受電コイルの僅かなずれに対しても敏感に検出することができる。すなわち、送電コイルの中心から外側に向かって磁束密度が減少するが、送電コイルの外側に、外側に進むに従って磁束密度が急激に減少する領域があり、この領域に磁気検出部を配置することで、受電コイルの僅かなずれに対しても敏感に検出することができる。なお、磁束密度は送電コイルの直外側が一番急激であるので、送電コイルに接するように磁気検出部を配置するとなお良い。
【００２２】
また、上記構成において、前記第１、第２、及び第３の点を頂点とする正三角形である。
【００２３】
この構成によれば、第１、第２、及び第３の単位ベクトルを良く知られた（０，１）、（−√３／２，−１／２）、及び（√３／２，−１／２）に対応させることができ、報知すべきベクトルの計算を簡潔にすることができる。
【００２４】
本発明の充電システムは、上記電子機器と充電器を有するので、電子機器側の受電コイルの最適位置からのずれを修正するための情報を電子機器のユーザに適切に報知することができる。
【発明の効果】
【００２５】
本発明は、電子機器側の受電コイルの充電器側の送電コイルに対する最適位置からのずれを修正するための情報を電子機器のユーザに適切に報知することができ、常に効率の良い充電が可能となる。
【発明を実施するための最良の形態】
【００２６】
以下、本発明を実施するための好適な実施の形態について、図面を参照して詳細に説明する。
【００２７】
図１は、本発明の一実施の形態に係る充電システム１０の外観を示す斜視図である。また、図２は本実施の形態に係る充電システム１０を構成する携帯電話１１の外観を示す斜視図である。図１に示すように、本実施の形態の充電システム１０は、携帯電話１１及び充電器１２を有する。
【００２８】
携帯電話１１は、非接触方式で充電する充電器１２によって充電可能な二次電池（図示略）を電源として用いる電子機器であり、二次電池を充電する電力を充電器１２から受電する二次側コイル（受電コイル）１３と、携帯電話１１内の第１の点の磁束密度（第１の磁束密度）を検出する位置検出コイル（第１の磁気検出部）１４と、携帯電話１１内の第２の点の磁束密度（第２の磁束密度）を検出する位置検出コイル１５と、携帯電話１１内の第３の点の磁束密度（第３の磁束密度）を検出する位置検出コイル１６と、充電器１２より給電を受けるのに最適な位置を携帯電話１１のユーザに報知する報知部１７（図４参照）と、を備えている。
【００２９】
二次側コイル１３及び位置検出コイル１４〜１６は、携帯電話１１の裏面（所定の平面）に略平行に設けられる。位置検出コイル１４〜１６は、三角形の３つの頂点とする位置関係で、かつ当該三角形の中に二次側コイル１３を構成する導線の巻き始めの点（これを“主点”と呼ぶ）が来るように配置される。なお、後述する図５に主点１９を示す。
【００３０】
図３は、充電器１２の一次側コイル１８から携帯電話１１の二次側コイル１３への磁束２０の流れによって電力が供給されることを説明するための図である。図３に示すように、携帯電話１１においては、二次側コイル１３が、二次電池を充電する電力を、充電器１２から磁束２０を介して受電する。二次側コイル１３で受電された電力は電力受動回路２５に供給される。電力受動回路２５は、二次側コイル１３から供給された電力を装置の各部に供給する。一方、充電器１２においては、一次側コイル１８が、電力伝送回路３０から供給された電力を携帯電話１１の二次側コイル１３に磁束２０を介して送電する。
【００３１】
図４は、携帯電話１１の位置ずれを検出するための構成の一例を示すブロック図である。図４において、整流回路４０〜４２は、位置検出コイル１４〜１６の検出信号を整流する。報知部１７は、位置ずれ検出部４３と表示部４４とから構成され、位置ずれ検出部４３は、整流回路４０〜４２で整流された位置検出コイル１４〜１６のそれぞれの検出信号に基づき、充電器１２の一次側コイル１８に対する携帯電話１１の二次側コイル１３の位置ずれ度合いを判別し、位置ずれ度合いを修正するための情報を生成する。表示部４４は、位置ずれ検出部４３で生成された情報を表示する。なお、表示部４４は、携帯電話１１が折り畳み構造のものとスライド構造のものはサブディスプレイに該当し、ストレート構造のものはメインディスプレイに該当する。
【００３２】
位置ずれ検出部４３は、二次側コイル１３の主点１９（図５参照）から位置検出コイル１４が配置された位置（第１の点）を終点とするベクトルを第１の単位ベクトルとし、二次側コイル１３の主点１９から位置検出コイル１５が配置された位置（第２の点）を終点とするベクトルを第２の単位ベクトルとし、二次側コイル１３の主点１９から位置検出コイル１６が配置された位置（第３の点）を終点とするベクトルを第３の単位ベクトルとし、また位置検出コイル１４が配置された位置（第１の点）における磁束密度を第１の磁束密度とし、位置検出コイル１５が配置された位置（第２の点）における磁束密度を第２の磁束密度とし、位置検出コイル１６が配置された位置（第３の点）における磁束密度を第３の磁束密度とし、（第１の磁束密度×第１の単位ベクトル）＋（第２の磁束密度×第２の単位ベクトル）＋（第３の磁束密度×第３の単位ベクトル）で求めたベクトルの向きと大きさに基づいて移動すべき向きと長さの報知を行う。位置検出コイル１４〜１６に発生する起電力は、磁束密度の時間変化率に比例するので、磁束密度は起電力から容易に求めることができる。
【００３３】
図５は、二次側コイル１３の位置ずれ検出動作の概要を説明するための図である。図５において、（ａ）は、二次側コイル１３が一次側コイル１８に対して正規の位置にあるときの状態を示しており、この状態のときは、位置検出コイル１４〜１６の全てに略同量の電力が供給される。また、（ｂ）は、二次側コイル１３が一次側コイル１８に対して下方向にずれて、左右下方向の位置検出コイル１５及び１６が一次側コイル１８の外側に位置しているときの状態を示しており、この状態のときは、位置検出コイル１４には電力が供給されるが、位置検出コイル１５及び１６には電力が供給されない。また、（ｃ）は、二次側コイル１３が一次側コイル１８に対して左上方向にずれて、上方向の位置検出コイル１４と左下方向の位置検出コイル１５が一次側コイル１８の外側に位置しているときの状態を示している。この状態のときは、位置検出コイル１６には電力が供給されるが、位置検出コイル１４及び１５には電力が供給されない。
【００３４】
このように、位置検出コイル１４〜１６の全てで略同量の電力の供給が行われているときは、二次側コイル１３に位置ずれが生じておらず、電力供給を受けていない位置検出コイルが１つでもあると、二次側コイル１３に位置ずれが生じていることになる。したがって、上、左下、右下の位置検出コイル１４〜１６に発生する起電力から、二次側コイル１３の位置ずれの度合いを判別し、その結果より位置ずれを修正する指示を例えば矢印でユーザに報知することで、ユーザは携帯電話１１の位置修正を容易に行うことができる。図５の（ｂ）の場合は、二次側コイル１３が下方向にずれているので、上方向を指示する矢印２１でユーザに報知する。また、図５の（ｃ）の場合は、二次側コイル１３が左上方向にずれているので、右下方向を指示する矢印２１でユーザに報知する。
【００３５】
ここで、図６及び図７を参照して位置ずれ検出の原理について説明する。図６に示すように、位置検出コイル１４〜１６が１２０°の間隔で配置されているとする。また、中心（０，０）は主点１９に対応する。位置検出コイル１４〜１６の起電力をベクトルで表記した場合、位置検出コイル１４の起電力Ａに対応するベクトル量は、単位ベクトル（０，１）に磁束密度に比例しスカラー量である｜Ａ｜を掛け算した｜Ａ｜（０，１）となる。同様に位置検出コイル１５の起電力Ｂに対応するベクトル量は、｜Ｂ｜（−√３／２，−１／２）、位置検出コイル１６の起電力Ｃに対応するベクトル量は、｜Ｃ｜（√３／２，−１／２）となる。これらのベクトル量の足し算をする、即ち合成することで位置ずれの大きさと方向が判る。例えば図７の（ａ）に示すように、二次側コイル１３が一次側コイル１８に対して左上方向にずれている場合、上記の原理を適用すると、位置検出コイル１４〜１６の各起電力の向きと大きさ、及びこれらの起電力の合成は、図７の（ｂ）に示すようになる。そして、図７の（ｃ）に示すように、合成ベクトルＸに対応する矢印２１を表示部４４に表示する。ユーザは表示部４４に表示された矢印２１に従い、携帯端末１１の位置ずれを修正する。矢印２１の長さは、携帯端末１１の二次側コイル１３が最適位置に近づくに従って短くなり、最適位置に達した時点で表示されなくなる。
【００３６】
図８は、携帯電話１１における位置ずれ検出動作を示すフローチャートである。図７において、まず位置検出コイル１４〜１６に発生する起電力を検出する（ステップＳ１０）。次いで、位置検出コイル１４〜１６のそれぞれにおける起電力に基づき、合成起電力（ベクトルＸ）を求める（ステップＳ１１）。求めた合成起電力（ベクトルＸ）は方向と長さの情報を持っており、求めた合成起電力に対応した方向と長さの矢印２１を表示する（ステップＳ１２）。
【００３７】
図９は、一次側コイル１８と二次側コイル１３との水平方向の位置関係と位置検出コイル１４〜１６の起電力との関係を示すグラフである。横軸の単位はｍｍであり、縦軸の単位はｄＢμＶであり、一次コイルの中心を一点鎖線で示している。また、“◆”は一次側コイル１８と二次側コイル１３の垂直方向の距離（ギャップ）を２ｍｍとしたときのグラフ、“■”は一次側コイル１８と二次側コイル１３のギャップを７ｍｍとしたときのグラフ、“△”は一次側コイル１８と二次側コイル１３のギャップを１２ｍｍとしたときのグラフである。一次側コイル１８と二次側コイル１３の中心が合っている位置が８．５ｍｍのときである。この図から判るように、一次側コイル１８と二次側コイル１３との間のギャップが小さいほど位置検出コイル１４〜１６の起電力が大きくなり、また一次側コイル１８と二次側コイル１３が中心からずれてくるほど起電力が小さくなる。一次側コイル１８と二次側コイル１３間のギャップに関係なく、すなわちギャップに変動があっても位置検出コイル１４〜１６の起電力を検出できる傾向は同じであり、中心が合っていれさえすれば、最も起電力が大きく、一番効率良く充電を行うことができる。
また、図９において一次コイルの外側直近の領域をＭで示す。図８から判るように、外側直近の領域ではギャップに変動があっても起電力の変化が急峻である。
【００３８】
以上のように本実施の形態の充電システム１０によれば、携帯電話１１は、主点１９を中心に導線が巻かれ、二次電池を充電する電力を充電器１２から受電する二次側コイル１３と、携帯電話１１内の第１、第２、及び第３の点のそれぞれの第１、第２、及び第３の磁束密度を検出する位置検出コイル１４〜１６と、ユーザに位置ずれの度合いを報知する報知部１７とを備えており、報知部１７は、主点１９を基準にした第１の点を第１の単位ベクトルとし、主点１９を基準にした第２の点を第２の単位ベクトルとし、主点１９を基準にした第３の点を第３の単位ベクトルとし、（第１の磁束密度）×（第１の単位ベクトル）＋（第２の磁束密度）×（第２の単位ベクトル）＋（第３の磁束密度）×（第３の単位ベクトル）で求めたベクトルの向きと大きさに基づいて移動すべき向きと長さの報知を行うので、ユーザは、常に効率のよい充電ができる位置に携帯電話１１を持ってくることができ、充電時間の短縮化が図れる。
【００３９】
なお、上記実施の形態では、３つの位置検出コイル１４〜１６を設けて、３方向の演算を行って位置ずれを修正するための距離と向きを報知するようにしたが、位置検出コイルを２つ設けて、２方向の演算を行って位置ずれを修正するための向きのみの報知又は移動する長さのみの報知又は移動する向きと長さの双方の報知をするようにしてもよい。
【００４０】
具体的には、以下のようになる。
（移動する向きのみ報知）
主点１９を基準にした第１の点を第１の単位ベクトルとし、主点１９を基準にした第２の点を第２の単位ベクトルとし、（第１の磁束密度）×（第１の単位ベクトル）＋（第２の磁束密度）×（第２の単位ベクトル）で求めたベクトルの向きに移動するように促す報知を行う。
【００４１】
（移動する長さのみ報知）
主点１９を基準にした第１の点を第１の単位ベクトルとし、主点１９を基準にした第２の点を第２の単位ベクトルとし、（第１の磁束密度）×（第１の単位ベクトル）＋（第２の磁束密度）×（第２の単位ベクトル）で求めたベクトルの大きさに基づいて移動すべき長さの報知を行う。
【００４２】
（移動する向きと長さを報知）
主点１９を基準にした第１の点を第１の単位ベクトルとし、主点１９を基準にした第２の点を第２の単位ベクトルとし、（第１の磁束密度）×（第１の単位ベクトル）＋（第２の磁束密度）×（第２の単位ベクトル）で求めたベクトルの向きと大きさに基づいて移動すべき向きと長さの報知を行う。
【００４３】
また、上記実施の形態において、第１〜第３の点に相当する位置検出コイル１４〜１６の全てを一次側コイル（送電コイル）１８の内側に入るように配置するようにしたが、いずれか２つの位置検出コイルを一次側コイル１８の外側に配置するようにしてもよい。例えば、第１及び第２の点に相当する位置検出コイル１４及び１５を一次側コイル１８の外側に配置する。このように配置することで、二次側コイル（受電コイル）１３の僅かなずれに対しても敏感に検出することができる。すなわち、図８からも判るように一次側コイル１８の中心から外側に向かって磁束密度が減少するが、一次側コイル１８の外側に、外側に進むに従って磁束密度（図８の起電力に対応）が急激に減少する領域（領域Ｍ）があり、この領域に位置検出コイル１４及び１５を配置することで、二次側コイル１３の僅かなずれに対しても敏感に検出することができる。なお、磁束密度は一次側コイル１８の直外側が一番急激であるので、一次側コイル１８に接するように位置検出コイル１４及び１５を配置するとなお良い。
【００４４】
本発明は、携帯電話のみならず、通信機能を有するＰＤＡ（Personal Digital Assistant）やトランシーバ等の携帯端末装置にも勿論適用可能である。
【産業上の利用可能性】
【００４５】
本発明は、受電コイルの送電コイルに対する最適位置からのずれを修正するための情報をユーザに適切に報知することができるといった効果を有し、受電コイルを有する電子機器と送電コイルを有する充電器とを備えた充電システムへなどの適用が可能である。
【図面の簡単な説明】
【００４６】
【図１】本発明の一実施の形態に係る充電システムの外観を示す斜視図
【図２】図１の充電システムを構成する携帯電話の外観を示す斜視図
【図３】図１の充電システムの充電器の一次側コイルから携帯電話の二次側コイルへの磁束の流れによって電力が供給されることを説明するための図
【図４】図１の充電システムの携帯電話の位置ずれを検出するための構成の一例を示すブロック図
【図５】図１の充電システムの携帯電話の二次側コイルの位置ずれ検出動作の概要を説明するための図
【図６】本発明の位置ずれ検出の原理を説明するための図
【図７】本発明の位置ずれ検出の原理を説明するための図
【図８】図１の充電システムの携帯電話における位置ずれ検出動作を示すフローチャート
【図９】図１の充電システムの携帯電話の一次側コイルと充電器の二次側コイルとの水平方向の位置関係と位置検出コイルの起電力との関係を示すグラフ
【符号の説明】
【００４７】
１０  充電システム
１１  携帯電話
１２  充電器
１３  二次側コイル
１４〜１６  位置検出コイル
１７  報知部
１８  一次側コイル
１９  主点
２０  磁束
２１  矢印
２５  電力受動回路
３０  電力伝送回路
４０〜４２  整流回路
４３  位置ずれ検出部
４４  表示部
【図１】
2010206865.tif 000003
【図２】
2010206865.tif 000004
【図３】
2010206865.tif 000005
【図４】
2010206865.tif 000006
【図５】
2010206865.tif 000007
【図６】
2010206865.tif 000008
【図７】
2010206865.tif 000009
【図８】
2010206865.tif 000010
【図９】
2010206865.tif 000011